(57)【要約】【課題】有価証券の売買注文を認可して発注する作業の負担を軽減する。【解決手段】注文入力者の端末装置３０から注文内容を受信する注文受付部１２２と、注文内容が条件格納部１００の認可必要条件を満たす場合に注文内容を注文管理者の端末装置４０に送り、この端末装置４０からの認可情報に基づいて端末装置３０に発注指示の入力画面を表示する認可情報受信部１４０と、注文内容の受信時刻から発注指示の受信時刻までの経過時間が売買注文の種別に対応する発注制限時間内である場合に発注する発注部１５０を有する。注文内容は委託注文又は仕切注文を示す種別情報を含み、制限時間格納部１１０は、委託注文の種別情報に対応付けて第１の発注制限時間を格納し、仕切注文の種別情報に対応付けて第１の発注制限時間よりも長い第２の発注制限時間を格納する。【選択図】図２
2008033552.tif 000002
【特許請求の範囲】
【請求項１】
有価証券の売買注文の種別及び注文内容を含む当該売買注文の注文情報が注文入力者により入力される注文入力者の端末装置に接続されるとともに、前記有価証券の売買注文を認可する旨の認可情報が注文管理者により入力される注文管理者の端末装置に接続される売買注文管理装置であって、
前記有価証券の売買注文の注文情報について前記注文管理者の認可が必要となる認可必要条件を格納する条件格納部と、
有価証券の売買注文の種別に対応付けて当該売買注文を発注すべき発注制限時間を格納する制限時間格納部と、
前記有価証券の売買注文の注文情報を前記注文入力者の端末装置から受信し、受信した前記有価証券の売買注文の注文情報をその受信時刻とともに第１の記憶部に記憶する注文受付部と、
前記注文受付部により前記第１の記憶部に記憶された前記注文入力者の端末装置からの前記有価証券の売買注文の注文情報が、前記条件格納部に格納されている前記認可必要条件を満たすか否かを判断する判断部と、
前記第１の記憶部に記憶された前記注文入力者の端末装置からの前記有価証券の売買注文の注文情報が前記条件格納部に格納されている前記認可必要条件を満たすと前記判断部により判断された場合に、前記有価証券の売買注文の注文情報を前記注文管理者の端末装置に送信し、前記有価証券の売買注文の注文情報を受け取った前記注文管理者の端末装置から前記注文管理者により入力された当該有価証券の売買注文を認可する旨の認可情報を受信する認可情報受信部と、
前記認可情報受信部により受信された前記注文管理者の端末装置からの前記有価証券の売買注文を認可する旨の認可情報に基づき、前記注文管理者の端末装置又は前記注文入力者の端末装置に前記有価証券の売買注文の発注指示の入力画面を表示し、前記注文管理者の端末装置から前記注文管理者により入力された前記有価証券の売買注文の発注指示又は前記注文入力者の端末装置から前記注文入力者により入力された前記有価証券の売買注文の発注指示を受信し、当該有価証券の売買注文の発注指示の受信時刻を第２の記憶部に記憶する発注指示受信部と、
前記注文受付部により前記第１の記憶部に記憶された前記有価証券の売買注文の注文情報の受信時刻から前記発注指示受信部により前記第２の記憶部に記憶された前記有価証券の売買注文の発注指示の受信時刻までの経過時間が、前記第１の記憶部に記憶された前記有価証券の売買注文の注文情報に含まれる前記種別に対応付けて前記制限時間格納部に格納されている発注制限時間内である場合に、前記有価証券の売買注文の注文内容を前記有価証券の売買注文の約定を成立させるための処理を行う売買システムに送信することにより発注処理を行う発注部と
を備え、
前記有価証券の売買注文の注文情報は、前記種別として、前記有価証券の売買注文が委託注文又は仕切注文であることを示す情報を含み、
前記制限時間格納部は、前記発注制限時間として、前記委託注文であることを示す情報に対応付けて第１の発注制限時間を格納し、前記仕切注文であることを示す情報に対応付けて前記第１の発注制限時間よりも長い第２の発注制限時間を格納する
ことを特徴とする売買注文管理装置。
【請求項２】
前記発注部は、前記第１の記憶部に記憶された前記注文入力者の端末装置からの前記有価証券の売買注文の注文情報が、前記条件格納部に格納されている前記認可必要条件を満たさないと前記判断部により判断された場合に、前記有価証券の売買注文の注文内容を前記有価証券の売買注文の約定を成立させるための処理を行う売買システムに送信することにより発注処理を行う
ことを特徴とする請求項１記載の売買注文管理装置。
【請求項３】
前記注文受付部は、前記受信した前記有価証券の売買注文の注文情報をその受信時刻及び当該有価証券の売買注文を識別するための注文番号に対応付けて前記第１の記憶部に記憶し、
前記判断部は、前記注文受付部により前記注文番号に対応付けて前記第１の記憶部に記憶された前記注文入力者の端末装置からの前記有価証券の売買注文の注文情報が、前記条件格納部に格納されている前記認可必要条件を満たすか否かを判断し、
前記認可情報受信部は、前記注文番号に対応付けて前記第１の記憶部に記憶された前記注文入力者の端末装置からの前記有価証券の売買注文の注文情報が前記条件格納部に格納されている前記認可必要条件を満たすと前記判断部により判断された場合に、前記有価証券の売買注文の注文情報と当該有価証券の売買注文を識別するための前記注文番号を前記注文管理者の端末装置に送信して前記有価証券の売買注文の注文情報を前記有価証券の売買注文の認可情報の入力画面に表示し、前記注文管理者により前記有価証券の売買注文の認可情報が入力された前記注文管理者の端末装置から送信された前記有価証券の売買注文の認可情報と当該有価証券の売買注文を識別するための前記注文番号を受信し、
前記発注指示受信部は、前記認可情報受信部により受信された前記注文管理者の端末装置からの前記有価証券の売買注文の認可情報と当該有価証券の売買注文を識別するための前記注文番号に基づき、前記注文入力者の端末装置に前記有価証券の売買注文を識別するための前記注文番号を送信して前記有価証券の売買注文の発注指示の入力画面を表示し、前記注文入力者により前記有価証券の売買注文の発注指示が入力された前記注文入力者の端末装置から送信された前記有価証券の売買注文の発注指示と当該有価証券の売買注文を識別するための前記注文番号を受信し、当該有価証券の売買注文の発注指示の受信時刻を当該注文番号に対応付けて第２の記憶部に記憶し、
前記発注部は、前記発注指示受信部により前記注文番号に対応付けて前記第２の記憶部に記憶された前記有価証券の売買注文の発注指示の受信時刻並びに当該注文番号に対応付けて前記第１の記憶部に記憶された前記有価証券の売買注文の注文情報及びその受信時刻に基づき、前記有価証券の売買注文の注文情報の受信時刻から前記有価証券の売買注文の発注指示の受信時刻までの経過時間が、前記有価証券の売買注文の注文情報に含まれる前記種別に対応付けて前記制限時間格納部に格納されている発注制限時間内である場合に、前記有価証券の売買注文の注文内容を前記有価証券の売買注文の約定を成立させるための処理を行う売買システムに送信することにより発注処理を行う
ことを特徴とする請求項１記載の売買注文管理装置。
【請求項４】
前記注文受付部は、前記受信した前記有価証券の売買注文の注文情報をその受信時刻及び当該有価証券の売買注文を識別するための注文番号に対応付けて前記第１の記憶部に記憶し、
前記判断部は、前記注文受付部により前記注文番号に対応付けて前記第１の記憶部に記憶された前記注文入力者の端末装置からの前記有価証券の売買注文の注文情報が、前記条件格納部に格納されている前記認可必要条件を満たすか否かを判断し、
前記認可情報受信部は、前記注文番号に対応付けて前記第１の記憶部に記憶された前記注文入力者の端末装置からの前記有価証券の売買注文の注文情報が前記条件格納部に格納されている前記認可必要条件を満たすと前記判断部により判断された場合に、前記有価証券の売買注文の注文情報と当該有価証券の売買注文を識別するための前記注文番号を前記注文管理者の端末装置に送信して前記有価証券の売買注文の注文情報を前記有価証券の売買注文の認可情報の入力画面に表示し、前記注文管理者により前記有価証券の売買注文の認可情報が入力された前記注文管理者の端末装置から送信された前記有価証券の売買注文の認可情報と当該有価証券の売買注文を識別するための前記注文番号を受信し、
前記発注指示受信部は、前記認可情報受信部により受信された前記注文管理者の端末装置からの前記有価証券の売買注文の認可情報と当該有価証券の売買注文を識別するための前記注文番号に基づき、前記注文管理者の端末装置に前記有価証券の売買注文を識別するための前記注文番号を送信して前記有価証券の売買注文の発注指示の入力画面を表示し、前記注文管理者により前記有価証券の売買注文の発注指示が入力された前記注文管理者の端末装置から送信された前記有価証券の売買注文の発注指示と当該有価証券の売買注文を識別するための前記注文番号を受信し、当該有価証券の売買注文の発注指示の受信時刻を当該注文番号に対応付けて第２の記憶部に記憶し、
前記発注部は、前記発注指示受信部により前記注文番号に対応付けて前記第２の記憶部に記憶された前記有価証券の売買注文の発注指示の受信時刻並びに当該注文番号に対応付けて前記第１の記憶部に記憶された前記有価証券の売買注文の注文情報及びその受信時刻に基づき、前記有価証券の売買注文の注文情報の受信時刻から前記有価証券の売買注文の発注指示の受信時刻までの経過時間が、前記有価証券の売買注文の注文情報に含まれる前記種別に対応付けて前記制限時間格納部に格納されている発注制限時間内である場合に、前記有価証券の売買注文の注文内容を前記有価証券の売買注文の約定を成立させるための処理を行う売買システムに送信することにより発注処理を行う
ことを特徴とする請求項１記載の売買注文管理装置。
【請求項５】
前記発注部は、前記注文番号に対応付けて前記第１の記憶部に記憶された前記注文入力者の端末装置からの前記有価証券の売買注文の注文情報が、前記条件格納部に格納されている前記認可必要条件を満たさないと前記判断部により判断された場合に、前記有価証券の売買注文の注文内容を前記有価証券の売買注文の約定を成立させるための処理を行う売買システムに送信することにより発注処理を行う
ことを特徴とする請求項３又は４に記載の売買注文管理装置。
【請求項６】
前記第１及び第２の記憶部は一の記憶部からなり、
前記注文入力者の端末装置には有価証券の売買注文の注文情報を入力するための注文伝票が表示され、
前記注文受付部は、前記注文入力者の端末装置の前記注文伝票に入力された前記有価証券の売買注文の注文情報を前記注文入力者の端末装置から受信し、受信した前記有価証券の売買注文の注文情報をその受信時刻及び当該有価証券の売買注文の注文情報が入力された前記注文伝票の伝票番号からなる注文番号に対応付けて前記一の記憶部に記憶する
ことを特徴とする請求項３〜５の何れかに記載の売買注文管理装置。
【請求項７】
前記注文入力者と前記注文管理者は同じ証券会社の社員であり、
前記発注部は、前記有価証券の売買注文の種別が委託注文であることを示すとき、前記有価証券の売買注文の注文内容を前記有価証券の委託注文の約定を成立させるための処理を行う前記有価証券の取引所の売買システムに送信することにより発注処理を行い、前記有価証券の売買注文の種別が仕切注文であることを示すとき、前記有価証券の売買注文の注文内容を前記有価証券の仕切注文の約定を成立させるための処理を行う前記証券会社の売買システムに送信することにより発注処理を行う
ことを特徴とする請求項１〜６の何れかに記載の売買注文管理装置。
【請求項８】
コンピュータを、請求項１〜７の何れかに記載の売買注文管理装置として機能させるためのプログラム。
【発明の詳細な説明】
【技術分野】
【０００１】
本発明は、有価証券の売買注文を管理する売買注文管理装置及びプログラムに関する。
【背景技術】
【０００２】
端末装置に入力された有価証券の注文データの異常を検出するデータチェック装置が知られている（例えば、特許文献１参照）。ある証券会社のシステムであって、機関投資家の注文について、顧客ごとに売買単位や金額の上限を設定し、制限を上回る注文は警告を自動的に発し、管理者のチェックを経たうえで警告を解除できるようにしたシステムが知られている（例えば、非特許文献１参照）。証券会社の売買注文の発注制限に関して、一定規模を超える注文については、事前に管理者などが発注制限の解除を承認するようにしたシステムが知られている（例えば、非特許文献２参照）。インサイダー取引の可能性がある会社関係者の名前等を記録したデータベースを作り、証券会社が有価証券の売買注文を受ける都度、このデータベースにアクセスしてチェックを行うシステムが知られている（例えば、非特許文献３参照）。
【０００３】
【特許文献１】特開２００２−１９７２８３号公報
【非特許文献１】「証券各社、株発注ミス防止策急ぐ」、日本経済新聞  朝刊、２００６年３月１７日、ｐ．７
【非特許文献２】「証券各社、誤発注防止対策に戸惑い」、日経コンピュータ、日経ＢＰ社、２００６年５月１日、第６５１号、ｐ．１７
【非特許文献３】「複眼独眼  内部者データベースは難題」、日経金融新聞、２００６年６月１４日、ｐ．１
【発明の開示】
【発明が解決しようとする課題】
【０００４】
有価証券の売買注文の注文内容が認可の必要なものである場合に、その注文内容を確認して認可し、発注する事務作業は作業者にとって時間と手間がかかるものである。本発明は、上記観点に鑑みてなされたものであり、その目的は、有価証券の売買注文の注文内容を確認して認可し、発注する事務作業の負担を軽減可能な売買注文管理装置及びプログラムを提供することにある。
【課題を解決するための手段】
【０００５】
本発明の第１の形態の売買注文管理装置は、有価証券の売買注文の種別及び注文内容を含む当該売買注文の注文情報が注文入力者により入力される注文入力者の端末装置に接続されるとともに、前記有価証券の売買注文を認可する旨の認可情報が注文管理者により入力される注文管理者の端末装置に接続される売買注文管理装置であって、
前記有価証券の売買注文の注文情報について前記注文管理者の認可が必要となる認可必要条件を格納する条件格納部と、有価証券の売買注文の種別に対応付けて当該売買注文を発注すべき発注制限時間を格納する制限時間格納部と、前記有価証券の売買注文の注文情報を前記注文入力者の端末装置から受信し、受信した前記有価証券の売買注文の注文情報をその受信時刻とともに第１の記憶部に記憶する注文受付部と、前記注文受付部により前記第１の記憶部に記憶された前記注文入力者の端末装置からの前記有価証券の売買注文の注文情報が、前記条件格納部に格納されている前記認可必要条件を満たすか否かを判断する判断部と、前記第１の記憶部に記憶された前記注文入力者の端末装置からの前記有価証券の売買注文の注文情報が前記条件格納部に格納されている前記認可必要条件を満たすと前記判断部により判断された場合に、前記有価証券の売買注文の注文情報を前記注文管理者の端末装置に送信し、前記有価証券の売買注文の注文情報を受け取った前記注文管理者の端末装置から前記注文管理者により入力された当該有価証券の売買注文を認可する旨の認可情報を受信する認可情報受信部と、前記認可情報受信部により受信された前記注文管理者の端末装置からの前記有価証券の売買注文を認可する旨の認可情報に基づき、前記注文管理者の端末装置又は前記注文入力者の端末装置に前記有価証券の売買注文の発注指示の入力画面を表示し、前記注文管理者の端末装置から前記注文管理者により入力された前記有価証券の売買注文の発注指示又は前記注文入力者の端末装置から前記注文入力者により入力された前記有価証券の売買注文の発注指示を受信し、当該有価証券の売買注文の発注指示の受信時刻を第２の記憶部に記憶する発注指示受信部と、前記注文受付部により前記第１の記憶部に記憶された前記有価証券の売買注文の注文情報の受信時刻から前記発注指示受信部により前記第２の記憶部に記憶された前記有価証券の売買注文の発注指示の受信時刻までの経過時間が、前記第１の記憶部に記憶された前記有価証券の売買注文の注文情報に含まれる前記種別に対応付けて前記制限時間格納部に格納されている発注制限時間内である場合に、前記有価証券の売買注文の注文内容を前記有価証券の売買注文の約定を成立させるための処理を行う売買システムに送信することにより発注処理を行う発注部とを備え、前記有価証券の売買注文の注文情報は、前記種別として、前記有価証券の売買注文が委託注文又は仕切注文であることを示す情報を含み、前記制限時間格納部は、前記発注制限時間として、前記委託注文であることを示す情報に対応付けて第１の発注制限時間を格納し、前記仕切注文であることを示す情報に対応付けて前記第１の発注制限時間よりも長い第２の発注制限時間を格納することを特徴とする。
前記発注部は、前記第１の記憶部に記憶された前記注文入力者の端末装置からの前記有価証券の売買注文の注文情報が、前記条件格納部に格納されている前記認可必要条件を満たさないと前記判断部により判断された場合に、前記有価証券の売買注文の注文内容を前記有価証券の売買注文の約定を成立させるための処理を行う売買システムに送信することにより発注処理を行う構成としてもよい。
【０００６】
本発明の第１の形態の売買注文管理装置において、前記注文受付部は、前記受信した前記有価証券の売買注文の注文情報をその受信時刻及び当該有価証券の売買注文を識別するための注文番号に対応付けて前記第１の記憶部に記憶し、前記判断部は、前記注文受付部により前記注文番号に対応付けて前記第１の記憶部に記憶された前記注文入力者の端末装置からの前記有価証券の売買注文の注文情報が、前記条件格納部に格納されている前記認可必要条件を満たすか否かを判断し、前記認可情報受信部は、前記注文番号に対応付けて前記第１の記憶部に記憶された前記注文入力者の端末装置からの前記有価証券の売買注文の注文情報が前記条件格納部に格納されている前記認可必要条件を満たすと前記判断部により判断された場合に、前記有価証券の売買注文の注文情報と当該有価証券の売買注文を識別するための前記注文番号を前記注文管理者の端末装置に送信して前記有価証券の売買注文の注文情報を前記有価証券の売買注文の認可情報の入力画面に表示し、前記注文管理者により前記有価証券の売買注文の認可情報が入力された前記注文管理者の端末装置から送信された前記有価証券の売買注文の認可情報と当該有価証券の売買注文を識別するための前記注文番号を受信し、前記発注指示受信部は、前記認可情報受信部により受信された前記注文管理者の端末装置からの前記有価証券の売買注文の認可情報と当該有価証券の売買注文を識別するための前記注文番号に基づき、前記注文入力者の端末装置に前記有価証券の売買注文を識別するための前記注文番号を送信して前記有価証券の売買注文の発注指示の入力画面を表示し、前記注文入力者により前記有価証券の売買注文の発注指示が入力された前記注文入力者の端末装置から送信された前記有価証券の売買注文の発注指示と当該有価証券の売買注文を識別するための前記注文番号を受信し、当該有価証券の売買注文の発注指示の受信時刻を当該注文番号に対応付けて第２の記憶部に記憶し、前記発注部は、前記発注指示受信部により前記注文番号に対応付けて前記第２の記憶部に記憶された前記有価証券の売買注文の発注指示の受信時刻並びに当該注文番号に対応付けて前記第１の記憶部に記憶された前記有価証券の売買注文の注文情報及びその受信時刻に基づき、前記有価証券の売買注文の注文情報の受信時刻から前記有価証券の売買注文の発注指示の受信時刻までの経過時間が、前記有価証券の売買注文の注文情報に含まれる前記種別に対応付けて前記制限時間格納部に格納されている発注制限時間内である場合に、前記有価証券の売買注文の注文内容を前記有価証券の売買注文の約定を成立させるための処理を行う売買システムに送信することにより発注処理を行う構成としてもよい。
前記発注部は、前記注文番号に対応付けて前記第１の記憶部に記憶された前記注文入力者の端末装置からの前記有価証券の売買注文の注文情報が、前記条件格納部に格納されている前記認可必要条件を満たさないと前記判断部により判断された場合に、前記有価証券の売買注文の注文内容を前記有価証券の売買注文の約定を成立させるための処理を行う売買システムに送信することにより発注処理を行う構成としてもよく、前記第１及び第２の記憶部は一の記憶部からなり、前記注文入力者の端末装置には有価証券の売買注文の注文情報を入力するための注文伝票が表示され、前記注文受付部は、前記注文入力者の端末装置の前記注文伝票に入力された前記有価証券の売買注文の注文情報を前記注文入力者の端末装置から受信し、受信した前記有価証券の売買注文の注文情報をその受信時刻及び当該有価証券の売買注文の注文情報が入力された前記注文伝票の伝票番号からなる注文番号に対応付けて前記一の記憶部に記憶する構成としてもよい。
【０００７】
本発明の第１の形態の売買注文管理装置において、前記注文受付部は、前記受信した前記有価証券の売買注文の注文情報をその受信時刻及び当該有価証券の売買注文を識別するための注文番号に対応付けて前記第１の記憶部に記憶し、前記判断部は、前記注文受付部により前記注文番号に対応付けて前記第１の記憶部に記憶された前記注文入力者の端末装置からの前記有価証券の売買注文の注文情報が、前記条件格納部に格納されている前記認可必要条件を満たすか否かを判断し、前記認可情報受信部は、前記注文番号に対応付けて前記第１の記憶部に記憶された前記注文入力者の端末装置からの前記有価証券の売買注文の注文情報が前記条件格納部に格納されている前記認可必要条件を満たすと前記判断部により判断された場合に、前記有価証券の売買注文の注文情報と当該有価証券の売買注文を識別するための前記注文番号を前記注文管理者の端末装置に送信して前記有価証券の売買注文の注文情報を前記有価証券の売買注文の認可情報の入力画面に表示し、前記注文管理者により前記有価証券の売買注文の認可情報が入力された前記注文管理者の端末装置から送信された前記有価証券の売買注文の認可情報と当該有価証券の売買注文を識別するための前記注文番号を受信し、前記発注指示受信部は、前記認可情報受信部により受信された前記注文管理者の端末装置からの前記有価証券の売買注文の認可情報と当該有価証券の売買注文を識別するための前記注文番号に基づき、前記注文管理者の端末装置に前記有価証券の売買注文を識別するための前記注文番号を送信して前記有価証券の売買注文の発注指示の入力画面を表示し、前記注文管理者により前記有価証券の売買注文の発注指示が入力された前記注文管理者の端末装置から送信された前記有価証券の売買注文の発注指示と当該有価証券の売買注文を識別するための前記注文番号を受信し、当該有価証券の売買注文の発注指示の受信時刻を当該注文番号に対応付けて第２の記憶部に記憶し、前記発注部は、前記発注指示受信部により前記注文番号に対応付けて前記第２の記憶部に記憶された前記有価証券の売買注文の発注指示の受信時刻並びに当該注文番号に対応付けて前記第１の記憶部に記憶された前記有価証券の売買注文の注文情報及びその受信時刻に基づき、前記有価証券の売買注文の注文情報の受信時刻から前記有価証券の売買注文の発注指示の受信時刻までの経過時間が、前記有価証券の売買注文の注文情報に含まれる前記種別に対応付けて前記制限時間格納部に格納されている発注制限時間内である場合に、前記有価証券の売買注文の注文内容を前記有価証券の売買注文の約定を成立させるための処理を行う売買システムに送信することにより発注処理を行う構成としてもよい。
前記発注部は、前記注文番号に対応付けて前記第１の記憶部に記憶された前記注文入力者の端末装置からの前記有価証券の売買注文の注文情報が、前記条件格納部に格納されている前記認可必要条件を満たさないと前記判断部により判断された場合に、前記有価証券の売買注文の注文内容を前記有価証券の売買注文の約定を成立させるための処理を行う売買システムに送信することにより発注処理を行う構成としてもよく、前記第１及び第２の記憶部は一の記憶部からなり、前記注文入力者の端末装置には有価証券の売買注文の注文情報を入力するための注文伝票が表示され、前記注文受付部は、前記注文入力者の端末装置の前記注文伝票に入力された前記有価証券の売買注文の注文情報を前記注文入力者の端末装置から受信し、受信した前記有価証券の売買注文の注文情報をその受信時刻及び当該有価証券の売買注文の注文情報が入力された前記注文伝票の伝票番号からなる注文番号に対応付けて前記一の記憶部に記憶する構成としてもよい。
【０００８】
本発明の第１の形態の売買注文管理装置において、前記注文入力者と前記注文管理者は同じ証券会社の社員であり、前記発注部は、前記有価証券の売買注文の種別が委託注文であることを示すとき、前記有価証券の売買注文の注文内容を前記有価証券の委託注文の約定を成立させるための処理を行う前記有価証券の取引所の売買システムに送信することにより発注処理を行い、前記有価証券の売買注文の種別が仕切注文であることを示すとき、前記有価証券の売買注文の注文内容を前記有価証券の仕切注文の約定を成立させるための処理を行う前記証券会社の売買システムに送信することにより発注処理を行う構成としてもよい。
【０００９】
本発明の第２の形態は、コンピュータを、本発明の第１の形態の売買注文管理装置として機能させるためのプログラムである。
【発明の効果】
【００１０】
本発明では、時間優先の原則が適用される市場が取引相手となる委託注文を受けてから発注するまでの発注制限時間よりも、証券会社との相対取引となる仕切注文を受けてから発注するまでの発注制限時間を長く設定することで、仕切注文の注文内容を確認して認可する注文管理者の認可作業時間及び／又は認可された仕切注文を発注する注文発注者の発注作業時間を長くとることができ、注文管理者及び／又は注文発注者による仕切注文の作業負担の軽減を図ることができる。
【発明を実施するための最良の形態】
【００１１】
以下、発明の実施の形態を通じて本発明を説明するが、以下の実施形態は特許請求の範囲にかかる発明を限定するものではなく、また実施形態の中で説明されている特徴の組み合わせの全てが発明に必須であるとは限らない。
【実施例１】
【００１２】
図１は、注文管理システム１０の一例を示す概要図である。この注文管理システム１０は、証券会社により使用されるシステムであり、有価証券の売買注文の注文内容を入力する注文入力者の端末装置３０、有価証券の売買注文を認可する注文管理者の端末装置４０、注文管理サーバ２０及び発注サーバ５０，５１を有する。注文入力者の端末装置３０、注文管理者の端末装置４０、注文管理サーバ２０及び発注サーバ５０，５１は、ネットワーク６０を介して接続されており、相互に通信することができるようになっている。また、発注サーバ５０は、有価証券の売買注文の約定を成立させるための処理を行う有価証券の取引所の売買システム７０と通信回線８０を介して接続されており、相互に通信することができるようになっている。発注サーバ５１は、有価証券の売買注文の約定を成立させるための処理を行う証券会社の売買システム７１と通信回線８１を介して接続されており、相互に通信することができるようになっている。なお、通信回線８０，８１は、専用線としてもよく専用回線としてもよい。
【００１３】
図２は、注文管理サーバ２０のブロック構成の一例を示すブロック図である。図３は、条件格納部１００に格納される認可必要条件の内容情報の一例を示す説明図である。図４は、制限時間格納部１１０に格納される認可制限時間及び発注制限時間の時間情報の一例を示す説明図である。図５は、注文記憶部１２４に記憶される注文情報等の記憶情報の一例を示す説明図である。
図２の注文管理サーバ２０は、条件格納部１００、制限時間格納部１１０、注文受付部１２２、注文記憶部１２４、判断部１３０、認可情報受信部１４０及び発注部１５０を備える。
【００１４】
条件格納部１００は、有価証券の売買注文の注文内容について注文管理者の認可が必要となる認可必要条件の内容を示す内容情報を格納する。条件格納部１００は、一例として、インサイダー取引（内部者取引）の可能性のある会社関係者の氏名等を当該会社の銘柄コードに対応付けて格納するとともに、株式の銘柄コードに対応付けて当該銘柄の発行済株式総数を格納する。
図３に例示する条件格納部１００では、株式銘柄を識別するための銘柄コードと、内部者取引（内部者）と数量の認可必要条件を識別するための識別情報である条件ＩＤと、株式銘柄の会社についての会社関係者の氏名と、当該会社関係者の住所及び電話番号と、株式銘柄の発行済株式総数が対応付けて格納されている。
【００１５】
例えば、条件格納部１００をリレーショナル・データベース（ＲＤＢ）を用いて構成し、通し番号を格納するための通し番号フィールド、株式銘柄を識別するための銘柄コードを格納するための銘柄コードフィールド、内部者取引と数量の各認可必要条件を識別するための条件ＩＤを格納するための条件ＩＤフィールド、株式銘柄の会社についての会社関係者の氏名を格納するための氏名フィールド、当該会社関係者の住所及び電話番号を格納するための住所／ＴＥＬフィールド、株式銘柄の発行済株式総数を格納するための発行済株式総数フィールド等をレコード毎に設け、同一レコードに格納される通し番号、銘柄コード、条件ＩＤ、会社関係者の氏名、当該会社関係者の住所及び電話番号、株式銘柄の発行済株式総数等を互いに対応付けるようにしてもよい。
【００１６】
図３の条件格納部１００では、通し番号「１」のレコードに、株式銘柄の銘柄コード「Ｘ６０１」、内部者の認可必要条件を示す条件ＩＤ「１（内部者）」、会社関係者の氏名「大和太郎」、会社関係者の住所／電話番号「東京都……／０３−………」が格納されている。
また、通し番号「２」のレコードに、株式銘柄の銘柄コード「Ｘ６０１」、内部者の認可必要条件を示す条件ＩＤ「１（内部者）」、会社関係者の氏名「大和五郎」、会社関係者の住所／電話番号「東京都……／０３−………」が格納されている。
また、通し番号「３」のレコードに、株式銘柄の銘柄コード「Ｘ６０１」、数量の認可必要条件を示す条件ＩＤ「２（数量）」、発行済株式総数「１３億株」が格納されている。
また、通し番号「４」のレコードに、株式銘柄の銘柄コード「Ｘ３１６」、内部者の認可必要条件を示す条件ＩＤ「１（内部者）」、会社関係者の氏名「三井太郎」、会社関係者の住所／電話番号「東京都……／０３−………」が格納されている。
また、通し番号「５」のレコードに、株式銘柄の銘柄コード「Ｘ３１６」、数量の認可必要条件を示す条件ＩＤ「２（数量）」、発行済株式総数「７４０万株」が格納されている。
【００１７】
制限時間格納部１１０は、有価証券の売買注文の種別に対応付けて、当該売買注文の注文情報が注文管理者の認可が必要なものである場合における当該注文情報を認可すべき認可制限時間を示す時間情報と、当該売買注文を発注すべき発注制限時間を示す時間情報を格納する。
この制限時間格納部１１０は、認可制限時間として、有価証券の売買注文が委託注文であることを示す種別情報に対応付けて第１の認可制限時間を格納し、有価証券の売買注文が仕切注文であることを示す種別情報に対応付けて第１の認可制限時間よりも長い第２の認可制限時間を格納する。図４に例示する制限時間格納部１１０は、種別「１（委託）」に対応付けて第１の認可制限時間「８分」を格納しており、種別「２（仕切）」に対応付けて第２の認可制限時間「２５分」を格納している。
また、制限時間格納部１１０は、発注制限時間として、有価証券の売買注文が委託注文であることを示す種別情報に対応付けて第１の発注制限時間を格納し、有価証券の売買注文が仕切注文であることを示す種別情報に対応付けて第１の発注制限時間よりも長い第２の発注制限時間を格納する。図４に例示する制限時間格納部１１０は、種別「１（委託）」に対応付けて第１の発注制限時間「１０分」を格納しており、種別「２（仕切）」に対応付けて第２の発注制限時間「３０分」を格納している。ここで第１の認可制限時間は、第１の発注制限時間よりも短い時間となっており、第２の認可制限時間は、第２の発注制限時間よりも短い時間となっている。なお、「仕切」を「自己」という場合もある。
【００１８】
注文受付部１２２は、有価証券の売買注文の注文情報を入力するための注文入力画面を注文入力者の端末装置３０に表示し、注文入力者の端末装置３０の注文入力画面に入力された有価証券の売買注文の注文情報を、注文入力者を識別するための注文入力者ＩＤとともに受信し、受信した有価証券の売買注文の注文情報を識別するための又は当該売買注文を識別するための注文番号からなる注文ＩＤを採番し、受信した有価証券の売買注文の注文情報をその受信時刻、注文ＩＤ、注文入力者ＩＤ及び申請前の状況を示すステータス「０」に対応付けて注文記憶部１２４に記憶する。注文受付部１２２が注文入力者の端末装置３０から受信する有価証券の売買注文の注文情報は、有価証券の売買注文主である顧客の氏名及び口座番号（顧客口座番号）と、売買注文の種別及び注文内容を示す情報を含む。注文記憶部１２４は、注文受付部１２２により受信された注文入力者の端末装置３０からの有価証券の売買注文の注文情報を、売買注文の注文ＩＤ、注文入力者ＩＤ、注文情報の受信時刻に対応付けて記憶する。
【００１９】
図５の注文記憶部１２４では、売買注文の注文ＩＤ「Ｂ０１０１」、売買注文の注文入力者「佐藤一郎」の注文入力者ＩＤ「２１−４５６（佐藤一郎）」、注文情報に含まれる顧客口座番号「９８７６５」、注文情報に含まれる顧客氏名「大和太郎」、注文情報に含まれる売買注文の種別「１（委託）」、注文情報に含まれる売買注文の注文内容（銘柄コード「Ｘ６０１」、売買区分「買付」等）、注文情報の受信時刻「２００６年５月３０日１０時１５分」が対応付けて記憶されている。
また、売買注文の注文ＩＤ「Ｂ０１２２」、売買注文の注文入力者「田中花子」の注文入力者ＩＤ「２１−１２３（田中花子）」、注文情報に含まれる顧客口座番号「４３２１０」、注文情報に含まれる顧客氏名「三井太郎」、注文情報に含まれる売買注文の種別「２（仕切）」、注文情報に含まれる売買注文の注文内容（銘柄コード「Ｘ３１６」、売買区分「買付」等）、注文情報の受信時刻「２００６年５月３０日１０時２０分」が対応付けて記憶されている。
注文記憶部１２４は、例えばリレーショナル・データベース（ＲＤＢ）を用いて構成し、売買注文の注文ＩＤを記憶するための注文ＩＤフィールド、売買注文の注文入力者の注文入力者ＩＤを記憶するための注文入力者ＩＤフィールド、顧客口座番号を記憶するための口座番号フィールド、顧客氏名を記憶するための顧客氏名フィールド、売買注文の種別を記憶するための種別フィールド、売買注文の注文内容の銘柄コードを記憶するための銘柄コードフィールド、売買注文の注文内容の売買区分を記憶するための売買区分フィールド、売買注文の注文内容の数量を記憶するための数量フィールド、売買注文の注文内容の注文単価を記憶するための注文単価フィールド、注文情報の受信時刻を記憶するための注文情報受信時刻フィールド、認可締切時刻を記憶するための認可締切時刻フィールド、条件ＩＤを記憶するための条件ＩＤフィールド、認可伝票ＩＤを記憶するための認可伝票ＩＤフィールド、認可者ＩＤを記憶するための認可者ＩＤフィールド、発注指示受信時刻を記憶するための発注指示受信時刻フィールド、ステータスを記憶するためのステータスフィールド等をレコード毎に設け、同一レコードに記憶される注文ＩＤ、注文入力者ＩＤ、口座番号、顧客氏名、種別、銘柄コード、売買区分、数量、注文単価、注文情報受信時刻、認可締切時刻、条件ＩＤ、認可伝票ＩＤ、認可者ＩＤ、発注指示受信時刻、ステータス等を互いに対応付けるようにしてもよい。
【００２０】
判断部１３０は、注文受付部１２２により売買注文の注文ＩＤに対応付けて注文記憶部１２４に記憶された注文入力者の端末装置３０からの有価証券の売買注文の注文情報が、条件格納部１００に格納されている認可必要条件を満たすか否かを判断する。具体的には、売買注文の注文ＩＤに対応付けて注文記憶部１２４に記憶された有価証券の売買注文の注文情報に含まれる顧客氏名、種別、銘柄コード及び数量並びに注文情報受信時刻を取得し、有価証券の売買注文の注文情報に含まれる顧客氏名が、当該銘柄コード及び条件ＩＤ「１（内部者）」に対応付けて条件格納部１００に格納されている会社関係者の氏名に一致するか否かを判定し、氏名が一致する場合に条件ＩＤ「１（内部者）」の認可必要条件を満たすと判断し、また、有価証券の売買注文の注文情報に含まれる数量が、当該銘柄コード及び条件ＩＤ「２（数量）」に対応付けて条件格納部１００に格納されている発行済株式総数の所定割合（一例として２０％）を超えるか否かを判定し、所定割合を超える場合に条件ＩＤ「２（数量）」の認可必要条件を満たすと判断し、条件ＩＤ「１（内部者）」又は条件ＩＤ「２（数量）」の認可必要条件を満たすと判断した場合に売買注文の注文ＩＤと認可伝票発行要求を認可情報受信部１４０に送るとともに、注文情報に含まれる種別に対応付けて制限時間格納部１１０に格納されている認可制限時間を注文情報受信時刻に加算した認可締切時刻と、注文情報が満たすと判断した認可必要条件の条件ＩＤを、売買注文の注文ＩＤに対応付けて注文記憶部１２４に記憶する。所定割合を超えない場合であって氏名が一致しない場合に条件ＩＤ「１（内部者）」及び条件ＩＤ「２（数量）」の認可必要条件を満たさないと判断し、売買注文の注文ＩＤと発注指示を発注部１５０に送る。
【００２１】
この判断部１３０は、注文情報が認可必要条件を満たすと判断した場合に、注文情報に含まれる種別が「１（委託）」であるときは種別「１（委託）」に対応付けて制限時間格納部１１０に格納されている第１の認可制限時間「８分」を注文情報受信時刻に加算して認可締切時刻を算出し、注文情報に含まれる種別が「２（仕切）」であるときは種別「２（仕切）」に対応付けて制限時間格納部１１０に格納されている第２の認可制限時間「２５分」を注文情報受信時刻に加算して認可締切時刻を算出する。このように、時間優先の原則が適用される市場が取引相手となる委託注文の認可制限時間よりも、証券会社との相対取引となる仕切注文の認可制限時間を長く設定することで、注文管理者にとって仕切注文の注文内容を確認して認可する作業時間を長くとることができ、注文管理者による仕切注文の注文内容についての認可業務の負担軽減を図ることができる。また、委託注文の認可制限時間「８分」から委託注文の発注制限時間「１０分」までの時間間隔「２分」よりも、仕切注文の認可制限時間「２５分」から仕切注文の発注制限時間「３０分」までの時間間隔「５分」が長くなるように制限時間を設定することで、発注指示をする注文発注者が注文入力者である場合には注文管理者の認可から注文入力者の発注指示までの時間を長くとることができるようにし、注文入力者による仕切注文の発注業務の負担軽減を図ることができる。
【００２２】
認可情報受信部１４０は、売買注文の注文ＩＤに対応付けて注文記憶部１２４に記憶された有価証券の売買注文の注文情報が条件格納部１００に格納されている認可必要条件を満たすと判断部１３０により判断された場合に判断部１３０から売買注文の注文ＩＤと認可伝票発行要求を受け取り、認可伝票番号からなる認可伝票ＩＤを採番して認可伝票ＩＤを当該注文ＩＤに対応付けて注文記憶部１２４に記憶するとともに、当該注文ＩＤに対応付けて注文記憶部１２４に記憶されている申請前の状況を示すステータス「０（申請前）」を申請中の状況を示すステータス「１（申請中）」に更新する。
そして、認可情報受信部１４０は、申請中の状況を示すステータス「１（申請中）」に対応付けて注文記憶部１２４に記憶された注文入力者ＩＤ、注文情報（顧客口座番号、顧客氏名、種別、注文内容等）、認可締切時刻、認可伝票ＩＤ、条件ＩＤ等を取得し、これらの互いに対応付けされた認可伝票ＩＤ、注文入力者ＩＤ、注文情報（顧客口座番号、顧客氏名、種別、注文内容等）、条件ＩＤ、認可締切時刻等を組として認可情報受信部１４０の認可伝票一覧表示用記憶装置に記憶することで、申請中の状況を示すステータス「１（申請中）」に対応付けて注文記憶部１２４に記憶された最新記憶情報に認可伝票一覧表示用記憶装置の表示用記憶情報を更新する。
【００２３】
認可伝票一覧表示用記憶装置では、例えば認可伝票ＩＤを記憶するための認可伝票ＩＤフィールド、注文入力者ＩＤを記憶するための注文入力者ＩＤフィールド、顧客口座番号を記憶するための口座番号フィールド、顧客氏名を記憶するための顧客氏名フィールド、種別を記憶するための種別フィールド、注文内容を記憶するための注文内容フィールド、条件ＩＤを記憶するための条件ＩＤフィールド、認可締切時刻を記憶するための認可締切時刻フィールド等をレコード毎に設け、同一レコードに記憶される認可伝票番号、注文入力者ＩＤ、顧客口座番号、顧客氏名、種別、注文内容、条件ＩＤ、認可締切時刻等を互いに対応付けるようにしてもよい。
認可情報受信部１４０は、認可伝票一覧表示用記憶装置に対応付けて記憶された認可伝票ＩＤ、注文入力者ＩＤ、顧客口座番号、顧客氏名、種別、注文内容、条件ＩＤ、認可締切時刻等を注文管理者の端末装置４０に送信して認可伝票一覧画面を表示させる。この認可伝票一覧画面には、認可伝票一覧表示用記憶装置に記憶された各組の認可伝票ＩＤ、注文入力者ＩＤ、顧客口座番号、顧客氏名、種別、注文内容、条件ＩＤ、認可締切時刻等が認可伝票の概要表示欄に表示されるとともに、認可伝票を選択するためのラジオボタンからなる選択欄が認可伝票ＩＤに対応付けて表示され、選択欄で選択された認可伝票についての詳細内容の表示要求を入力するための「詳細照会」ボタンが表示される。注文管理者の端末装置４０は、認可伝票一覧画面に表示された認可伝票の選択欄から注文管理者により認可伝票が選択されて「詳細照会」ボタンが操作されると、当該選択された認可伝票の認可伝票ＩＤと表示要求を認可情報受信部１４０に送信する。なお、認可伝票一覧画面において、認可伝票ＩＤ、注文入力者ＩＤ、顧客口座番号、顧客氏名、種別、注文内容、条件ＩＤ、認可締切時刻等が入力された認可伝票の概要表示欄を認可締切時刻の早い順に認可伝票一覧画面の上側から配置して表示することで、注文管理者に対して認可締切時刻の早い順の認可伝票が判るようにして認可締切時刻の早い順に認可伝票の内容の確認と認可を促すようにしてもよい。
【００２４】
認可情報受信部１４０は、注文管理者の端末装置４０から認可伝票ＩＤと表示要求を受け取ると、受け取った認可伝票ＩＤに対応付けて注文記憶部１２４に記憶されている注文ＩＤ、注文入力者ＩＤ、注文情報（顧客口座番号、顧客氏名、種別、注文内容等）、認可締切時刻、条件ＩＤ、ステータス等を取得して認可伝票の個別の詳細表示画面に表示する。この認可伝票の詳細表示画面には、有価証券の売買注文を認可する旨の認可情報を注文管理者が入力するための「認可登録」ボタンが表示される。注文管理者の端末装置４０に表示された認可伝票の詳細表示画面において「認可登録」ボタンが注文管理者により操作されると、注文管理者の端末装置４０は有価証券の売買注文を認可する旨の認可情報と当該売買注文の注文ＩＤと注文管理者を識別するための注文管理者ＩＤを認可情報受信部１４０に送信する。
【００２５】
認可情報受信部１４０は、注文管理者の端末装置４０から有価証券の売買注文を認可する旨の認可情報と当該売買注文の注文ＩＤと注文管理者ＩＤを受け取ると、受け取った注文管理者ＩＤを売買注文の注文ＩＤに対応付けて注文記憶部１２４に認可者ＩＤとして記憶するとともに、売買注文の注文ＩＤに対応付けて注文記憶部１２４に記憶されているステータス「１（申請中）」を認可済の状況を示すステータス「２（認可済）」に更新し、注文入力者の端末装置３０に有価証券の売買注文の注文ＩＤと有価証券の売買注文の発注指示の入力画面を送信して有価証券の売買注文の発注指示の入力画面を表示する。認可情報受信部１４０は、一例として、売買注文の注文ＩＤに対応付けて注文記憶部１２４に記憶されている注文情報（顧客口座番号、顧客氏名、種別、注文内容等）、条件ＩＤ、ステータスを注文入力者の端末装置３０の発注指示の入力画面に表示する。この入力画面には、有価証券の売買注文の発注指示を注文入力者が入力するための「確認」ボタンが表示される。注文入力者の端末装置３０に表示された発注指示の入力画面の「確認」ボタンが注文入力者により操作されると、注文入力者の端末装置３０は有価証券の売買注文の発注指示と当該売買注文の注文ＩＤを注文入力者ＩＤとともに認可情報受信部１４０に送信する。
認可情報受信部１４０は、注文入力者により有価証券の売買注文の発注指示が入力された注文入力者の端末装置３０から送信された有価証券の売買注文の発注指示と当該有価証券の売買注文の注文ＩＤと注文入力者ＩＤを受信し、当該有価証券の売買注文の発注指示の受信時刻を当該注文ＩＤに対応付けて注文記憶部１２４に記憶し、有価証券の売買注文の発注指示と当該有価証券の売買注文の注文ＩＤを発注部１５０に送る。
このように、認可情報受信部１４０は、注文管理者の端末装置４０からの有価証券の売買注文を認可する旨の認可情報と当該有価証券の売買注文の注文ＩＤに基づき、注文入力者又は注文管理者の端末装置に有価証券の売買注文の注文ＩＤを送信して有価証券の売買注文の発注指示の入力画面を表示し、有価証券の売買注文の発注指示が入力された注文入力者又は注文管理者の端末装置から送信された有価証券の売買注文の発注指示と当該有価証券の売買注文の注文ＩＤを受信し、当該有価証券の売買注文の発注指示の受信時刻を当該注文ＩＤに対応付けて注文記憶部１２４に記憶する発注指示受信部としての機能を備えている。
【００２６】
発注部１５０は、判断部１３０から有価証券の売買注文の注文ＩＤと発注指示を受け取ると、当該有価証券の売買注文の注文ＩＤに対応付けて注文記憶部１２４に記憶されている有価証券の売買注文の種別と注文内容を取得し、有価証券の売買注文の種別が委託注文であることを示す情報「１（委託）」である場合に、有価証券の売買注文の注文内容を発注サーバ５０及び通信回線８０を介して有価証券の委託注文の約定を成立させるための処理を行う有価証券の取引所の売買システム７０に送信することにより発注処理を行い、有価証券の売買注文の種別が仕切注文であることを示す情報「２（仕切）」である場合に、有価証券の売買注文の注文内容を発注サーバ５１及び通信回線８１を介して有価証券の仕切注文の約定を成立させるための処理を行う証券会社の売買システム７１に送信することにより発注処理を行う。
【００２７】
発注部１５０は、認可情報受信部１４０から有価証券の売買注文の注文ＩＤと発注指示を受け取ると、当該有価証券の売買注文の注文ＩＤに対応付けて注文記憶部１２４に記憶されている有価証券の売買注文の種別及び注文内容並びに注文情報受信時刻及び発注指示受信時刻を取得し、有価証券の売買注文の種別が委託注文であることを示す情報「１（委託）」である場合に、注文情報受信時刻から発注指示受信時刻までの経過時間が、種別「１（委託）」に対応付けて制限時間格納部１１０に格納されている発注制限時間「１０分」以内であるときに、有価証券の売買注文の注文内容を発注サーバ５０及び通信回線８０を介して有価証券の委託注文の約定を成立させるための処理を行う有価証券の取引所の売買システム７０に送信することにより有価証券の売買注文の発注処理を行い、有価証券の売買注文の種別が仕切注文であることを示す情報「２（仕切）」である場合に、注文情報受信時刻から発注指示受信時刻までの経過時間が、種別「２（仕切）」に対応付けて制限時間格納部１１０に格納されている発注制限時間「３０分」以内であるときに、有価証券の売買注文の注文内容を発注サーバ５１及び通信回線８１を介して有価証券の仕切注文の約定を成立させるための処理を行う証券会社の売買システム７１に送信することにより有価証券の売買注文の発注処理を行う。
【００２８】
図６は、注文管理サーバ２０、注文入力者の端末装置３０及び注文管理者の端末装置４０の処理動作の一例を示すフローチャートである。図６に示すフローチャートの開始時点において、条件格納部１００は図３に示す認可必要条件の内容情報を格納しており、制限時間格納部１１０は図４に示す認可制限時間及び発注制限時間の時間情報を格納しており、注文記憶部１２４は図５に示す注文情報等の情報を記憶しているものとする。なお、図６のフローチャートの左側は注文入力者の端末装置３０の処理動作を示し、中央は注文管理サーバ２０の処理動作を示し、右側は注文管理者の端末装置４０の処理動作を示す。注文入力者「田中花子」と注文管理者「管理九郎」は同じ証券会社の社員であり、注文入力者「田中花子」の注文入力者ＩＤとして注文入力者「田中花子」の社員ＩＤ「２１−１２３（田中花子）」を用い、注文管理者「管理九郎」の注文管理者ＩＤとして注文管理者「管理九郎」の社員ＩＤ「２１−７８９（管理九郎）」を用いる場合を例示して説明する。
【００２９】
注文入力者「田中花子」の端末装置３０は、顧客口座番号、顧客氏名、銘柄コード、自己委託、売買区分、数量及び注文単価に関する入力項目と、「確認」ボタンとを有する注文入力画面をディスプレイに表示する。注文入力者「田中花子」の端末装置３０は、注文入力者「田中花子」から注文入力画面を介して有価証券の売買注文に関する注文情報の入力を受け付ける。注文入力者「田中花子」の端末装置３０は、図７に例示する注文入力画面において、顧客口座番号「２１０５５」、顧客氏名「大和五郎」、銘柄コード「Ｘ６０１」、自己委託「委託」、売買区分「買付」、数量「１，０００，０００」株及び注文単価「１，６００」円の入力を受け付けている。そして注文入力者「田中花子」の端末装置３０は、注文入力者「田中花子」がマウス等のポインティングデバイスを用いて「確認」ボタンをクリック操作すると、入力された有価証券の売買注文の注文情報を注文入力者「田中花子」の注文入力者ＩＤ「２１−１２３（田中花子）」とともに注文管理サーバ２０に送信する（ステップＳ１００）。この注文入力者「田中花子」の端末装置３０は注文入力画面の「確認」ボタンが操作されると、注文入力画面の自己委託の選択入力欄で「委託」が選択されている場合には種別「１（委託）」を含む注文情報を送信し、自己委託の選択入力欄で「仕切」が選択されている場合には種別「２（仕切）」を含む注文情報を送信するようになっている。なお、図７、図９及び図１２の各画面は、注文入力者「田中花子」の端末装置３０に格納されたアプリケーションプログラムにより表示される画面であってもよいし、例えばウェブページのように注文管理サーバ２０から読み出されて表示される画面であってもよい。図７の注文入力画面において、仕切注文又は委託注文を選択させる入力項目「自己委託」の表記は「仕切委託」としてもよく、同様に図９及び図１２の表示画面において項目「自己委託」の表記は「仕切委託」としてもよい。
【００３０】
注文受付部１２２は、注文入力者「田中花子」の端末装置３０から有価証券の売買注文の注文情報と注文入力者ＩＤ「２１−１２３（田中花子）」を受信する（ステップＳ１１０）。そして注文受付部１２２は、受信した注文情報の売買注文を識別するための注文番号からなる注文ＩＤを採番し（ステップＳ１３０）、この有価証券の売買注文の注文ＩＤに対応付けて有価証券の売買注文の注文情報とその受信時刻を注文記憶部１２４に記憶し（ステップＳ１５０）、注文ＩＤと判断要求を判断部１３０に送る。なお、図７の注文入力画面として注文伝票の画面を用い、注文伝票番号を注文ＩＤとして用いる構成としてもよく、この場合に注文受付部１２２は注文入力者「田中花子」の端末装置３０から有価証券の売買注文の注文情報と注文伝票番号と注文入力者ＩＤ「２１−１２３（田中花子）」を受信する構成としてもよく、注文受付部１２２は注文入力者「田中花子」の端末装置３０から有価証券の売買注文の注文情報と注文入力者ＩＤ「２１−１２３（田中花子）」を受信し、注文伝票を識別するための注文伝票番号からなる注文番号（注文ＩＤ）を採番する構成としてもよい。
注文記憶部１２４は、図８に示すように、ステップＳ１３０で採番された注文ＩＤ「Ｂ０１２３」に対応付けて、注文入力者ＩＤ「２１−１２３（田中花子）」、注文情報に含まれる顧客口座番号「２１０５５」、注文情報に含まれる顧客氏名「大和五郎」、注文情報に含まれる種別「１（委託）」、注文情報に含まれる注文内容（銘柄コード「Ｘ６０１」、売買区分「買付」、数量「１，０００，０００株」、注文単価「１，６００円」等）、注文情報受信時刻「２００６年５月３０日１０時３０分」を記憶する（ステップＳ１５０）。また、本ステップにおいて、注文記憶部１２４は、注文ＩＤ「Ｂ０１２３」に対応付けてステータス「０（申請前）」を記憶する。なお、本ステップにおいて、注文ＩＤ「Ｂ０１２３」に対して注文記憶部１２４で対応付けされた認可締切時刻、条件ＩＤ、認可伝票ＩＤ、認可者ＩＤ及び発注指示受信時刻は初期値「ＮＵＬＬ」となっている。
【００３１】
判断部１３０は、注文受付部１２２から注文ＩＤと判断要求を受け取ると、当該注文ＩＤに対応付けて注文記憶部１２４に記憶された有価証券の売買注文の注文情報が、条件格納部１００に格納されている認可必要条件を満たすか否かを判断する（ステップＳ１６０）。
本例では、注文受付部１２２からの注文ＩＤ「Ｂ０１２３」に対応付けて注文記憶部１２４に記憶された有価証券の売買注文の注文情報に含まれる顧客氏名「大和五郎」、種別「１（委託）」、銘柄コード「Ｘ６０１」及び数量「１，０００，０００株」並びに注文情報受信時刻「２００６年５月３０日１０時３０分」を取得し、有価証券の売買注文の注文情報に含まれる顧客氏名「大和五郎」が、当該銘柄コード「Ｘ６０１」及び条件ＩＤ「１（内部者）」に対応付けて条件格納部１００に格納されている会社関係者の氏名に一致するか否かを判定し、条件格納部１１０の通し番号「２」のレコードに格納されている氏名「大和五郎」に一致することから条件ＩＤ「１（内部者）」の認可必要条件を満たすと判断し、また、有価証券の売買注文の注文情報に含まれる数量「１，０００，０００株」が、当該銘柄コード「Ｘ６０１」及び条件ＩＤ「２（数量）」に対応付けて条件格納部１００に格納されている発行済株式総数「１３億株」の所定割合（一例として２０％）を超えるか否かを判定し、１００万株は１３億株の２割以下であることから条件ＩＤ「２（数量）」の認可必要条件を満たさないと判断し、売買注文の注文ＩＤ「Ｂ０１２３」と認可伝票発行要求を認可情報受信部１４０に送る。さらに、判断部１３０は、注文情報に含まれる種別「１（委託）」に対応付けて制限時間格納部１１０に格納されている第１の認可制限時間「８分」を注文情報受信時刻「２００６年５月３０日１０時３０分」に加算した認可締切時刻「２００６年５月３０日１０時３８分」と、注文情報が満たすと判断した認可必要条件の条件ＩＤ「１（内部者）」を、注文ＩＤ「Ｂ０１２３」に対応付けて注文記憶部１２４に記憶する（ステップＳ１７０）。
【００３２】
認可情報受信部１４０は、判断部１３０からの売買注文の注文ＩＤと認可伝票発行要求を受け取ると認可伝票番号からなる認可伝票ＩＤを採番し、当該売買注文の注文ＩＤに対応付けて認可伝票ＩＤと申請中の状況を示すステータスを注文記憶部１２４に記憶する。本例では、判断部１３０からの売買注文の注文ＩＤ「Ｂ０１２３」と認可伝票発行要求を受け取ると認可伝票ＩＤ「Ｎ０００３」を採番し、当該売買注文の注文ＩＤ「Ｂ０１２３」に対応付けて認可伝票ＩＤ「Ｎ０００３」を注文記憶部１２４に記憶するとともに、当該注文ＩＤ「Ｂ０１２３」に対応付けて注文記憶部１２４に記憶されているステータス「０（申請前）」を申請中の状況を示すステータス「１（申請中）」に更新する。
そして、認可情報受信部１４０は、売買注文の注文ＩＤに対応付けて注文記憶部１２４に記憶されている売買注文の注文情報、注文ＩＤ、ステータス等を注文入力者の端末装置３０に送信し（ステップＳ１９０）、注文入力者の端末装置３０は、認可情報受信部１４０からの売買注文の注文情報、注文ＩＤ、ステータス等に基づいて注文状況画面を表示する（ステップＳ１９５）。本例では、認可情報受信部１４０は、売買注文の注文ＩＤ「Ｂ０１２３」に対応付けて注文記憶部１２４に記憶されている売買注文の注文情報（顧客口座番号「２１０５５」、顧客氏名「大和五郎」、種別「１（委託）」、注文内容（銘柄コード「Ｘ６０１」、売買区分「買付」、株数「１，０００，０００株」、注文単価「１，６００円」等））、条件ＩＤ「１（内部者）」、ステータス「１（申請中）」等を注文入力者「田中花子」の端末装置３０に送信し（ステップＳ１９０）、注文入力者「田中花子」の端末装置３０は、認可情報受信部１４０からの売買注文の注文情報、注文ＩＤ、ステータス等に基づいて図９に示すような注文状況画面を表示する（ステップＳ１９５）。
図９の注文状況画面では、顧客口座番号の表示欄には「２１０５５」がコンボボックスに表示され、顧客氏名の表示欄には「大和五郎」がコンボボックスに表示され、銘柄コードの表示欄には「Ｘ６０１」がコンボボックスに表示され、自己委託の選択表示欄には種別「１（委託）」に対応する「委託」のラジオボタンが選択されて表示され、売買区分の選択表示欄には「買付」のラジオボタンが選択されて表示され、数量の表示欄には「１，０００，０００」株がコンボボックスに表示され、注文単価の表示欄には「１，６００」株がコンボボックスに表示され、認可必要条件の選択表示欄には条件ＩＤ「１（内部者）」に対応する「内部者」のチェックボックスが選択されて表示され、ステータスの表示欄には「申請中」が表示されている。
【００３３】
また、認可情報受信部１４０は、申請中の状況を示すステータス「１（申請中）」に対応付けて注文記憶部１２４に記憶された注文入力者ＩＤ、注文情報（顧客口座番号、顧客氏名、種別、注文内容等）、認可締切時刻、認可伝票ＩＤ、条件ＩＤ等を注文記憶部１２４から取得し、これらの互いに対応付けされた認可伝票ＩＤ、注文入力者ＩＤ、注文情報（顧客口座番号、顧客氏名、種別、注文内容等）、条件ＩＤ、認可締切時刻等を組として認可伝票一覧表示用記憶装置に記憶することで、申請中の状況を示すステータス「１（申請中）」に対応付けて注文記憶部１２４に記憶された最新記憶情報に認可伝票一覧表示用記憶装置の表示用記憶情報を更新する。
本例では、認可伝票一覧表示用記憶装置の第１のレコードに、認可伝票ＩＤ「Ｎ０００３」、注文入力者ＩＤ「２１−１２３（田中花子）」、顧客口座番号「２１０５５」、顧客氏名「大和五郎」、種別「１（委託）」、注文内容（銘柄コード「Ｘ６０１」、売買区分「買付」、株数「１，０００，０００株」、注文単価「１，６００円」等）、条件ＩＤ「１（内部者）」、認可締切時刻「２００６年５月３０日１０時３８分」等を記憶するとともに、認可伝票一覧表示用記憶装置の第２のレコードに、認可伝票ＩＤ「Ｎ０００２」、注文入力者ＩＤ「２１−１２３（田中花子）」、顧客口座番号「４３２１０」、顧客氏名「三井太郎」、種別「２（仕切）」、注文内容（銘柄コード「Ｘ３１６」、売買区分「買付」等）、条件ＩＤ「１（内部者）」、認可締切時刻「２００６年５月３０日１０時４５分」等を記憶する。認可情報受信部１４０は、認可伝票一覧表示用記憶装置において、レコード番号が小さいレコードに記憶される認可締切時刻は、レコード番号が大きいレコードに記憶される認可締切時刻よりも早い時刻となるようにソートして、認可伝票ＩＤ、注文入力者ＩＤ、顧客口座番号、顧客氏名、種別、注文内容、条件ＩＤ、認可締切時刻等の組を記憶するようになっており、本例ではレコード番号「１」の第１のレコードに記憶された認可締切時刻「２００６年５月３０日１０時３８分」は、レコード番号「２」の第２のレコードに記憶された認可締切時刻「２００６年５月３０日１０時４５分」よりも早い時刻となっている。
【００３４】
認可情報受信部１４０は、認可伝票一覧表示用記憶装置に記憶された各組の認可伝票ＩＤ、注文入力者ＩＤ、注文情報（顧客口座番号、顧客氏名、種別、注文内容）、条件ＩＤ、認可締切時刻等を注文管理者「管理九郎」の端末装置４０に送信し（ステップＳ１９０）、注文管理者「管理九郎」の端末装置４０は認可情報受信部１４０からの認可伝票ＩＤ、注文入力者ＩＤ、注文情報（顧客口座番号、顧客氏名、種別、注文内容）、条件ＩＤ、認可締切時刻等に基づいて認可伝票一覧画面を表示する（ステップＳ１９６）。図１０に例示するように、認可伝票一覧画面には、認可伝票一覧表示用記憶装置に記憶された各レコードの認可伝票ＩＤ、注文入力者ＩＤ、注文情報、条件ＩＤ、認可締切時刻等が認可伝票の概要表示欄に表示されるとともに、認可伝票を選択するためのラジオボタンからなる選択欄が認可伝票ＩＤに対応付けて表示され、選択欄で選択された認可伝票についての詳細内容の表示要求を入力するための「詳細照会」ボタンが表示される。注文管理者「管理九郎」の端末装置４０は、認可伝票一覧画面に表示された認可伝票の選択欄に対して注文管理者「管理九郎」により認可伝票を選択する入力がなされて「詳細照会」ボタンがクリック操作されると、当該選択された認可伝票の認可伝票ＩＤと表示要求を認可情報受信部１４０に送信する。この認可伝票一覧画面では、認可伝票ＩＤ、注文入力者ＩＤ、顧客口座番号、顧客氏名、種別、注文内容、条件ＩＤ、認可締切時刻等が入力された認可伝票の概要表示欄を認可締切時刻の早い順に認可伝票一覧画面の上側から配置して表示することで、注文管理者「管理九郎」に対して認可締切時刻の早い順の認可伝票が判るようにして認可締切時刻の早い順に認可伝票の内容（認可伝票が示す注文情報）の確認と認可を促すようにしている。
【００３５】
図１０の認可伝票一覧画面の上側から１番目の概要表示欄には認可伝票一覧表示用記憶装置の第１のレコード番号の記憶情報が表示されており、認可伝票ＩＤの表示欄には認可伝票ＩＤ「Ｎ０００３」が表示され、注文入力者の表示欄には注文入力者ＩＤ「２１−１２３（田中花子）」が表示され、口座番号の表示欄には顧客口座番号「２１０５５」が表示され、顧客氏名の表示欄には「大和五郎」が表示され、種別の表示欄には「１（委託）」が表示され、注文内容の表示欄には銘柄コード「Ｘ６０１」と銘柄名「Ｄ証券」と売買区分「買付」と数量「１，０００，０００株」と注文単価「１，６００円」が表示され、条件ＩＤの表示欄には「１（内部者）」が表示され、認可締切時刻の表示欄には「２００６年５月３０日１０時３８分」が表示され、認可伝票ＩＤ「Ｎ０００３」の表示欄に対応付けて認可伝票を選択するためのラジオボタンからなる選択欄が表示されている。
また、図１０の認可伝票一覧画面の上側から２番目の概要表示欄には認可伝票一覧表示用記憶装置の第２のレコード番号の記憶情報が表示されており、認可伝票ＩＤの表示欄には認可伝票ＩＤ「Ｎ０００２」が表示され、注文入力者の表示欄には注文入力者ＩＤ「２１−１２３（田中花子）」が表示され、口座番号の表示欄には顧客口座番号「４３２１０」が表示され、顧客氏名の表示欄には「三井太郎」が表示され、種別の表示欄には「２（仕切）」が表示され、注文内容の表示欄には銘柄コード「Ｘ３１６」と銘柄名「Ｍ銀行」と売買区分「買付」等の注文内容が表示され、条件ＩＤの表示欄には「１（内部者）」が表示され、認可締切時刻の表示欄には「２００６年５月３０日１０時４５分」が表示され、認可伝票ＩＤ「Ｎ０００２」の表示欄に対応付けて認可伝票を選択するためのラジオボタンからなる選択欄が表示されている。
また、図１０の認可伝票一覧画面の右下側には、選択欄で選択された認可伝票についての詳細内容の表示要求を入力するための「詳細照会」ボタンが表示されている。なお、認可情報受信部１４０は、銘柄コードと銘柄名を対応付けて格納した銘柄テーブルを有し、この銘柄テーブルは銘柄コード「Ｘ６０１」に対応付けて銘柄名「Ｄ証券」を格納しており、銘柄コード「Ｘ３１６」に対応付けて銘柄名「Ｍ銀行」を格納しており、銘柄コードにより銘柄テーブルから銘柄名を取得できるようになっており、認可伝票一覧画面及び認可伝票の表示画面では銘柄コードに並べてその銘柄名を表示させるようになっている。
【００３６】
注文管理者「管理九郎」の端末装置４０は、注文管理者「管理九郎」により認可伝票一覧画面の認可伝票の選択欄がマウス等のポインティングデバイスでクリック操作されて「詳細照会」ボタンがクリック操作されると、選択された認可伝票の認可伝票ＩＤと詳細内容の表示要求と注文管理者ＩＤを認可情報受信部１４０に送信する（ステップＳ１９８）。本例では、注文管理者「管理九郎」により認可伝票一覧画面の認可伝票の選択欄のうち認可伝票ＩＤ「Ｎ０００３」の認可伝票の選択欄がクリック操作されて「詳細照会」ボタンがクリック操作され、注文管理者「管理九郎」の端末装置４０は認可伝票の認可伝票ＩＤ「Ｎ０００３」と詳細内容の表示要求と注文管理者ＩＤ「２１−７８９（管理九郎）」を認可情報受信部１４０に送信する。
【００３７】
認可情報受信部１４０は、注文管理者の端末装置４０からの認可伝票の認可伝票ＩＤと詳細内容の表示要求と注文管理者ＩＤを受け取ると、受け取った認可伝票ＩＤに対応付けて注文記憶部１２４に記憶されている注文ＩＤ、注文入力者ＩＤ、注文情報（顧客口座番号、顧客氏名、種別、注文内容等）、認可締切時刻、条件ＩＤ、ステータス等を注文管理者の端末装置４０に送信し（ステップＳ２００）、注文管理者の端末装置４０は認可情報受信部１４０からの注文ＩＤ、注文入力者ＩＤ、注文情報（顧客口座番号、顧客氏名、種別、注文内容等）、認可締切時刻、条件ＩＤ、ステータス等に基づいて認可伝票の個別の詳細表示画面を表示する（ステップＳ２１０）。本例では、認可情報受信部１４０は、注文管理者「管理九郎」の端末装置４０からの認可伝票の認可伝票ＩＤ「Ｎ０００３」と詳細内容の表示要求と注文管理者ＩＤ「２１−７８９（管理九郎）」を受け取ると、受け取った認可伝票ＩＤ「Ｎ０００３」に対応付けて注文記憶部１２４に記憶されている注文ＩＤ「Ｂ０１２３」、注文入力者ＩＤ「２１−１２３（田中花子）」、注文情報（顧客口座番号「２１０５５」、顧客氏名「大和五郎」、種別「１（委託）」、注文内容の銘柄コード「Ｘ６０１」、注文内容の売買区分「買付」、注文内容の数量「１，０００，０００株」、注文内容の注文単価「１，６００円」等）、認可締切時刻「２００６年５月３０日１０時３８分」、条件ＩＤ「１（内部者）」、ステータス「１（申請中）」等を注文管理者「管理九郎」の端末装置４０に送信し（ステップＳ２００）、注文管理者「管理九郎」の端末装置４０は認可情報受信部１４０からの注文ＩＤ、注文入力者ＩＤ、注文情報（顧客口座番号、顧客氏名、種別、注文内容等）、認可締切時刻、条件ＩＤ、ステータス等に基づいて図１１に示すような認可伝票の個別の詳細表示画面を表示する（ステップＳ２１０）。
【００３８】
図１１の認可伝票の詳細表示画面では、口座番号の表示欄には顧客口座番号「２１０５５」が表示され、注文入力者の表示欄には注文入力者ＩＤ「２１−１２３（田中花子）」が表示され、顧客氏名の表示欄には「大和五郎」が表示され、ステータスの表示欄には「申請中」が表示され、認可伝票ＩＤの表示欄には「Ｎ０００３」が表示され、認可締切時刻の表示欄には「２００６年５月３０日１０時３８分」が表示され、銘柄の表示欄には銘柄コード「Ｘ６０１」とその銘柄名「Ｄ証券」が表示され、種別の表示欄には「委託」が表示され、売買区分の表示欄には「買付」が表示され、数量の表示欄には「１，０００，０００株」が表示され、注文単価の表示欄には「１，６００円」が表示され、認可必要条件の表示欄には条件ＩＤ「１（内部者）」に対応する「内部者」のチェックボックスにチェックマークが表示され、注文ＩＤの表示欄には「Ｂ０１２３」が表示されている。また、この認可伝票の詳細表示画面の右下側には、当該認可伝票に表示された有価証券の売買注文を認可する旨の認可情報を注文管理者「管理九郎」が入力するための「認可登録」ボタンが表示されている。
【００３９】
注文管理者の端末装置４０において認可伝票の詳細表示画面に表示された認可伝票の「認可登録」ボタンが注文管理者により操作されると、注文管理者の端末装置４０は有価証券の売買注文を認可する旨の認可情報と当該売買注文の注文ＩＤと注文管理者ＩＤを認可情報受信部１４０に送信する（ステップＳ２２０）。本例では、注文管理者「管理九郎」の端末装置４０において認可伝票の詳細表示画面に表示された認可伝票の「認可登録」ボタンが注文管理者「管理九郎」によりクリック操作されると、注文管理者「管理九郎」の端末装置４０は有価証券の売買注文を認可する旨の認可情報と当該売買注文の注文ＩＤ「Ｂ０１２３」と注文管理者ＩＤ「２１−７８９（管理九郎）」を認可情報受信部１４０に送信する。
【００４０】
認可情報受信部１４０は、注文管理者の端末装置４０から有価証券の売買注文を認可する旨の認可情報と当該売買注文の注文ＩＤと注文管理者ＩＤを受け取り（ステップＳ２３０）、受け取った注文管理者ＩＤを売買注文の注文ＩＤに対応付けて注文記憶部１２４に認可者ＩＤとして記憶するとともに、売買注文の注文ＩＤに対応付けて注文記憶部１２４に記憶されているステータスを認可済の状況を示すステータスに更新する。本例では、認可情報受信部１４０は、注文管理者「管理九郎」の端末装置４０から有価証券の売買注文を認可する旨の認可情報と当該売買注文の注文ＩＤ「Ｂ０１２３」と注文管理者ＩＤ「２１−７８９（管理九郎）」を受け取り、受け取った注文管理者ＩＤ「２１−７８９（管理九郎）」を売買注文の注文ＩＤ「Ｂ０１２３」に対応付けて注文記憶部１２４に認可者ＩＤとして記憶するとともに、売買注文の注文ＩＤ「Ｂ０１２３」に対応付けて注文記憶部１２４に記憶されているステータス「１（申請中）」を認可済の状況を示すステータス「２（認可済）」に更新する。
【００４１】
次に、認可情報受信部１４０は、注文入力者の端末装置３０に有価証券の売買注文の注文内容と注文ＩＤを送信し（ステップＳ２４０）、注文入力者の端末装置３０は認可情報受信部１４０からの有価証券の売買注文の注文内容に基づいて有価証券の売買注文の発注指示を入力するための発注指示入力画面を表示する（ステップＳ２４５）。本例では、認可情報受信部１４０は、売買注文の注文ＩＤ「Ｂ０１２３」と当該注文ＩＤ「Ｂ０１２３」に対応付けて注文記憶部１２４に記憶されている注文情報の顧客口座番号「２１０５５」、注文情報の顧客氏名「大和五郎」、注文情報の種別「１（委託）」、注文情報の注文内容（銘柄コード「Ｘ６０１」、売買区分「買付」、数量「１，０００，０００株」、注文値段「１，６００円」等）、条件ＩＤ「１（内部者）」、ステータス「２（認可済）」等を注文入力者「田中花子」の端末装置３０に送信し、注文入力者「田中花子」の端末装置３０は認可情報受信部１４０からの有価証券の売買注文の注文情報、条件ＩＤ、ステータス等に基づき、図１２に示すような有価証券の売買注文の発注指示入力画面を表示する（ステップＳ２４５）。
図１２の発注指示入力画面では、口座番号の表示欄に顧客口座番号「２１０５５」が表示され、顧客氏名の表示欄に「大和五郎」が表示され、銘柄コードの表示欄に「Ｘ６０１」が表示され、自己委託の表示欄に種別「１（委託）」に対応する「委託」が表示され、売買区分の表示欄に「買付」が表示され、数量の表示欄に「１，０００，０００株」が表示され、注文単価の表示欄に「１，６００円」が表示され、認可必要条件の表示欄には条件ＩＤ「１（内部者）」に対応する内部者のチェックボックスにチェックマークが入力されて表示され、ステータスの表示欄には「認可済」が表示されている。また、この発注指示入力画面の右下側には、有価証券の売買注文の発注指示を注文入力者「田中花子」が入力するための「確認」ボタンが表示されている。
【００４２】
注文入力者の端末装置３０において、発注指示入力画面に有価証券の売買注文の発注指示が注文入力者により入力されると、注文入力者の端末装置３０は有価証券の売買注文の発注指示と当該売買注文の注文ＩＤと注文入力者ＩＤを認可情報受信部１４０に送信する（ステップＳ２５０）。本例では、注文入力者「田中花子」の端末装置３０において発注指示入力画面の「確認」ボタンが注文入力者「田中花子」によりクリック操作されると、注文入力者「田中花子」の端末装置３０は有価証券の売買注文の発注指示と当該売買注文の注文ＩＤ「Ｂ０１２３」と注文入力者ＩＤ「２１−１２３（田中花子）」を認可情報受信部１４０に送信する。
【００４３】
認可情報受信部１４０は、注文入力者により有価証券の売買注文の発注指示が入力された注文入力者の端末装置３０から送信された有価証券の売買注文の発注指示と当該有価証券の売買注文の注文ＩＤと注文入力者ＩＤを受信し（ステップＳ２６０）、当該有価証券の売買注文の発注指示の受信時刻を当該注文ＩＤに対応付けて注文記憶部１２４に記憶し（ステップＳ２７０）、有価証券の売買注文の発注指示と当該有価証券の売買注文の注文ＩＤを発注部１５０に送る。本例では、認可情報受信部１４０は、注文入力者「田中花子」により有価証券の売買注文の発注指示が入力された注文入力者「田中花子」の端末装置３０から送信された有価証券の売買注文の発注指示と当該有価証券の売買注文の注文ＩＤ「Ｂ０１２３」と注文入力者ＩＤ「２１−１２３（田中花子）」を受信し（ステップＳ２６０）、当該有価証券の売買注文の発注指示の受信時刻（例えば「２００６年５月３０日１０時３５分」）を当該注文ＩＤ「Ｂ０１２３」に対応付けて注文記憶部１２４に記憶し（ステップＳ２７０）、有価証券の売買注文の発注指示と当該有価証券の売買注文の注文ＩＤ「Ｂ０１２３」を発注部１５０に送る。
【００４４】
発注部１５０は、認可情報受信部１４０から有価証券の売買注文の注文ＩＤと発注指示を受け取ると、当該有価証券の売買注文の注文ＩＤに対応付けて注文記憶部１２４に記憶されている有価証券の売買注文の種別及び注文内容並びに注文情報受信時刻及び発注指示受信時刻を取得し、有価証券の売買注文の種別が委託注文であることを示す情報「１（委託）」であるか仕切注文であることを示す情報「２（仕切）」であるか判定し（ステップＳ２８０）、有価証券の売買注文の種別が委託注文であることを示す情報「１（委託）」であるときに（ステップＳ２８０；Ｙｅｓ）、注文情報受信時刻から発注指示受信時刻までの経過時間が、種別「１（委託）」に対応付けて制限時間格納部１１０に格納されている第１の発注制限時間「１０分」以内であるか判断し（ステップＳ２９０）、有価証券の売買注文の種別が仕切注文であることを示す情報「２（仕切）」であるときに（ステップＳ２８０；Ｎｏ）、注文情報受信時刻から発注指示受信時刻までの経過時間が、種別「２（仕切）」に対応付けて制限時間格納部１１０に格納されている第２の発注制限時間「３０分」以内であるか判断する（ステップＳ３００）。
【００４５】
発注部１５０は、有価証券の売買注文の種別が委託注文であることを示す情報「１（委託）」である場合に、注文情報受信時刻から発注指示受信時刻までの経過時間が、種別「１（委託）」に対応付けて制限時間格納部１１０に格納されている第１の発注制限時間「１０分」以内であるときに（ステップＳ２９０；Ｙｅｓ）、有価証券の売買注文の注文内容を発注サーバ５０及び通信回線８０を介して有価証券の委託注文の約定を成立させるための処理を行う有価証券の取引所の売買システム７０に送信することにより発注処理を行い（ステップＳ３１０）、有価証券の売買注文の種別が仕切注文であることを示す情報「２（仕切）」である場合に、注文情報受信時刻から発注指示受信時刻までの経過時間が、種別「２（仕切）」に対応付けて制限時間格納部１１０に格納されている第２の発注制限時間「３０分」以内であるときに（ステップＳ３００；Ｙｅｓ）、有価証券の売買注文の注文内容を発注サーバ５１及び通信回線８１を介して有価証券の仕切注文の約定を成立させるための処理を行う証券会社の売買システム７１に送信することにより発注処理を行う（ステップＳ３１０）。発注部１５０は発注処理を行うと発注終了の通知を注文入力者の端末装置３０に送信して表示させるようにしてもよい。
発注部１５０は、有価証券の売買注文の種別が委託注文であることを示す情報「１（委託）」である場合に、注文情報受信時刻から発注指示受信時刻までの経過時間が、種別「１（委託）」に対応付けて制限時間格納部１１０に格納されている第１の発注制限時間「１０分」を超えているときに（ステップＳ２９０；Ｎｏ）、注文入力者及び注文管理者の端末装置３０，４０に発注制限時間オーバーを示す警告情報を表示させ（ステップＳ３２０）、有価証券の売買注文の種別が仕切注文であることを示す情報「２（仕切）」である場合に、注文情報受信時刻から発注指示受信時刻までの経過時間が、種別「２（仕切）」に対応付けて制限時間格納部１１０に格納されている第２の発注制限時間「３０分」を超えるときに（ステップＳ３００；Ｎｏ）、注文入力者及び注文管理者の端末装置３０，４０に発注制限時間オーバーを示す警告情報を表示させる（ステップＳ３２０）。
【００４６】
本例では、発注部１５０は、認可情報受信部１４０から有価証券の売買注文の注文ＩＤ「Ｂ０１２３」と発注指示を受け取ると、当該有価証券の売買注文の注文ＩＤ「Ｂ０１２３」に対応付けて注文記憶部１２４に記憶されている有価証券の売買注文の種別「１（委託）」及び注文内容（銘柄コード「Ｘ６０１」、売買区分「買付」、数量「１，０００，０００株」、注文値段「１，６００円」等）並びに注文情報受信時刻「２００６年５月３０日１０時３０分」及び発注指示受信時刻「２００６年５月３０日１０時３５分」を取得し、有価証券の売買注文の種別が委託注文であることを示す情報「１（委託）」であると判定する（ステップＳ２８０；Ｙｅｓ）。
そして、発注部１５０は、有価証券の売買注文の種別が委託注文であることを示す情報「１（委託）」であることに基づき、注文情報受信時刻「２００６年５月３０日１０時３０分」から発注指示受信時刻「２００６年５月３０日１０時３５分」までの経過時間「５分」が、種別「１（委託）」に対応付けて制限時間格納部１１０に格納されている第１の発注制限時間「１０分」以内であると判断し（ステップＳ２９０；Ｙｅｓ）、有価証券の売買注文の注文内容を発注サーバ５０及び通信回線８０を介して有価証券の委託注文の約定を成立させるための処理を行う有価証券の取引所の売買システム７０に送信することにより発注処理を行う（ステップＳ３１０）。
【００４７】
上記実施形態によれば、時間優先の原則が適用される市場が取引相手となる委託注文を受信してから発注するまでの第１の発注制限時間よりも、証券会社との相対取引となる仕切注文を受信してから発注するまでの第２の発注制限時間を長く設定することで、仕切注文の注文内容を確認して認可する注文管理者の認可作業時間及び／又は認可された仕切注文を発注する注文入力者の発注作業時間を長くとることができ、注文約定執行の環境を実質的に変更せずに注文管理者及び／又は注文入力者による仕切注文の作業負担の軽減を図ることができる。
【００４８】
上記実施形態では、注文入力者の端末装置３０に売買注文の発注指示の入力画面を表示したが、他の実施形態として注文管理者の端末装置４０に売買注文の発注指示の入力画面を表示する構成としてもよく、このような構成例について以下に説明する。
例えば、図６のフローチャートのステップＳ２４０において、認可情報受信部１４０は、注文管理者の端末装置４０に有価証券の売買注文の注文内容と注文ＩＤを送信し、注文管理者の端末装置４０は認可情報受信部１４０からの有価証券の売買注文の注文内容に基づいて有価証券の売買注文の発注指示を入力するための発注指示入力画面を表示する（ステップＳ２４５'）。本例では、認可情報受信部１４０は、売買注文の注文ＩＤ「Ｂ０１２３」と当該注文ＩＤ「Ｂ０１２３」に対応付けて注文記憶部１２４に記憶されている注文情報の顧客口座番号「２１０５５」、注文情報の顧客氏名「大和五郎」、注文情報の種別「１（委託）」、注文情報の注文内容（銘柄コード「Ｘ６０１」、売買区分「買付」、数量「１，０００，０００株」、注文単価「１，６００円」等）、条件ＩＤ「１（内部者）」、ステータス「２（認可済）」等を注文管理者「管理九郎」の端末装置４０に送信し、注文管理者「管理九郎」の端末装置４０は認可情報受信部１４０からの有価証券の売買注文の注文情報、条件ＩＤ、ステータス等に基づき、図１２に示すような有価証券の売買注文の発注指示入力画面を表示する。
この発注指示入力画面では、口座番号の表示欄には顧客口座番号「２１０５５」が表示され、顧客氏名の表示欄には「大和五郎」が表示され、銘柄コードの表示欄には「Ｘ６０１」が表示され、自己委託の表示欄には種別「１（委託）」に対応する「委託」が表示され、売買区分の表示欄には「買付」が表示され、数量の表示欄には「１，０００，０００株」が表示され、注文単価の表示欄には「１，６００円」が表示され、認可必要条件の表示欄には条件ＩＤ「１（内部者）」に対応する内部者のチェックボックスにチェックマークが入力されて表示され、ステータスの表示欄には「認可済」が表示される。また、この発注指示入力画面の右下側には、有価証券の売買注文の発注指示を注文管理者「管理九郎」が入力するための「確認」ボタンが表示される。
【００４９】
そして、注文管理者の端末装置４０において、発注指示入力画面に有価証券の売買注文の発注指示が注文管理者により入力されると、注文管理者の端末装置４０は有価証券の売買注文の発注指示と当該売買注文の注文ＩＤと注文管理者ＩＤを認可情報受信部１４０に送信する（ステップＳ２５０'）。本例では、注文管理者「管理九郎」の端末装置４０において発注指示入力画面の「確認」ボタンが注文管理者「管理九郎」によりクリック操作されると、注文管理者「管理九郎」の端末装置４０は有価証券の売買注文の発注指示と当該売買注文の注文ＩＤ「Ｂ０１２３」と注文管理者ＩＤ「２１−７８９（管理九郎）」を認可情報受信部１４０に送信する。
【００５０】
認可情報受信部１４０は、注文管理者により有価証券の売買注文の発注指示が入力された注文管理者の端末装置４０から送信された有価証券の売買注文の発注指示と当該有価証券の売買注文の注文ＩＤと注文管理者ＩＤを受信し（ステップＳ２６０'）、当該有価証券の売買注文の発注指示の受信時刻を当該注文ＩＤに対応付けて注文記憶部１２４に記憶し（ステップＳ２７０）、有価証券の売買注文の発注指示と当該有価証券の売買注文の注文ＩＤを発注部１５０に送る。本例では、認可情報受信部１４０は、注文管理者「管理九郎」により有価証券の売買注文の発注指示が入力された注文管理者「管理九郎」の端末装置４０から送信された有価証券の売買注文の発注指示と当該有価証券の売買注文の注文ＩＤ「Ｂ０１２３」と注文管理者ＩＤ「２１−７８９（管理九郎）」を受信し、当該有価証券の売買注文の発注指示の受信時刻（例えば「２００６年５月３０日１０時３５分」）を当該注文ＩＤ「Ｂ０１２３」に対応付けて注文記憶部１２４に記憶し、有価証券の売買注文の発注指示と当該有価証券の売買注文の注文ＩＤ「Ｂ０１２３」を発注部１５０に送る。
【００５１】
発注部１５０は、認可情報受信部１４０から有価証券の売買注文の注文ＩＤと発注指示を受け取ると、当該有価証券の売買注文の注文ＩＤに対応付けて注文記憶部１２４に記憶されている有価証券の売買注文の種別及び注文内容並びに注文情報受信時刻及び発注指示受信時刻を取得し、有価証券の売買注文の種別が委託注文であることを示す情報「１（委託）」であるか仕切注文であることを示す情報「２（仕切）」であるか判定し（ステップＳ２８０）、有価証券の売買注文の種別が委託注文であることを示す情報「１（委託）」であるときに（ステップＳ２８０；Ｙｅｓ）、注文情報受信時刻から発注指示受信時刻までの経過時間が、種別「１（委託）」に対応付けて制限時間格納部１１０に格納されている第１の発注制限時間「１０分」以内であるか判断し（ステップＳ２９０）、有価証券の売買注文の種別が仕切注文であることを示す情報「２（仕切）」であるときに（ステップＳ２８０；Ｎｏ）、注文情報受信時刻から発注指示受信時刻までの経過時間が、種別「２（仕切）」に対応付けて制限時間格納部１１０に格納されている第２の発注制限時間「３０分」以内であるか判断する（ステップＳ３００）。
【００５２】
発注部１５０は、有価証券の売買注文の種別が委託注文であることを示す情報「１（委託）」である場合に、注文情報受信時刻から発注指示受信時刻までの経過時間が、種別「１（委託）」に対応付けて制限時間格納部１１０に格納されている第１の発注制限時間「１０分」以内であるときに（ステップＳ２９０；Ｙｅｓ）、有価証券の売買注文の注文内容を発注サーバ５０及び通信回線８０を介して有価証券の委託注文の約定を成立させるための処理を行う有価証券の取引所の売買システム７０に送信することにより発注処理を行い（ステップＳ３１０）、有価証券の売買注文の種別が仕切注文であることを示す情報「２（仕切）」である場合に、注文情報受信時刻から発注指示受信時刻までの経過時間が、種別「２（仕切）」に対応付けて制限時間格納部１１０に格納されている第２の発注制限時間「３０分」以内であるときに（ステップＳ３００；Ｙｅｓ）、有価証券の売買注文の注文内容を発注サーバ５１及び通信回線８１を介して有価証券の仕切注文の約定を成立させるための処理を行う証券会社の売買システム７１に送信することにより発注処理を行う（ステップＳ３１０）。
発注部１５０は、有価証券の売買注文の種別が委託注文であることを示す情報「１（委託）」である場合に、注文情報受信時刻から発注指示受信時刻までの経過時間が、種別「１（委託）」に対応付けて制限時間格納部１１０に格納されている第１の発注制限時間「１０分」を超えているときに（ステップＳ２９０；Ｎｏ）、注文入力者及び注文管理者の端末装置３０，４０に発注制限時間オーバーを示す警告情報を表示させ（ステップＳ３２０）、有価証券の売買注文の種別が仕切注文であることを示す情報「２（仕切）」である場合に、注文情報受信時刻から発注指示受信時刻までの経過時間が、種別「２（仕切）」に対応付けて制限時間格納部１１０に格納されている第２の発注制限時間「３０分」を超えるときに（ステップＳ３００；Ｎｏ）、注文入力者及び注文管理者の端末装置３０，４０に発注制限時間オーバーを示す警告情報を表示させる（ステップＳ３２０）。
【００５３】
上記他の実施形態によれば、時間優先の原則が適用される市場が取引相手となる委託注文を受信してから発注するまでの第１の発注制限時間よりも、証券会社との相対取引となる仕切注文を受信してから発注するまでの第２の発注制限時間を長く設定することで、仕切注文の注文内容を確認して認可し、発注する注文管理者の作業時間を長くとることができ、注文約定執行の環境を実質的に変更せずに注文管理者の作業負担の軽減を図ることができる。
【００５４】
なお、条件格納部１００、制限時間格納部１１０、注文受付部１２２、注文記憶部１２４、判断部１３０、認可情報受信部１４０、発注部１５０等の処理動作をコンピュータに行わせるためのプログラムを、コンピュータを備えたサーバにインストールして当該サーバを注文管理サーバ２０として機能させるようにしてもよい。注文管理サーバ２０及び発注サーバ５０，５１を集積して１台のサーバで構成してもよい。注文入力画面に証券取引所を指定する取引所区分の入力項目を設け、注文入力者は、有価証券の委託注文の注文情報を注文入力者の端末装置３０の注文入力画面に入力する場合に、有価証券の売買注文を発注すべき証券取引所を示す取引所区分を入力し、注文情報の注文内容に取引所区分を含む構成とし、発注部１５０は委託注文の注文内容に含まれる取引所区分の証券取引所の売買システムに当該委託注文の注文内容を送信することで委託注文の発注処理を行うようにしてもよく、売買注文の発注処理において売買注文の注文内容と当該売買注文を識別するための注文ＩＤを売買システムに送信する構成としてもよい。
【００５５】
以上、本発明を実施の形態を用いて説明したが、本発明の技術的範囲は上記の各実施形態に記載の範囲には限定されない。上記の各実施形態に、多様な変更又は改良を加えることが可能であることが当業者に明らかである。その様な変更又は改良を加えた形態も本発明の技術的範囲に含まれ得ることが、特許請求の範囲の記載から明らかである。
【図面の簡単な説明】
【００５６】
【図１】注文管理システム１０の一例を示す概要図である。
【図２】注文管理サーバ２０のブロック構成の一例を示すブロック図である。
【図３】条件格納部１００に格納される認可必要条件の内容情報の一例を示す説明図である。
【図４】制限時間格納部１１０に格納される認可制限時間及び発注制限時間の時間情報の一例を示す説明図である。
【図５】注文記憶部１２４に記憶される注文情報等の記憶情報の第１の例を示す説明図である。
【図６】注文管理サーバ２０、注文入力者の端末装置３０及び注文管理者の端末装置４０の処理動作の一例を示すフローチャートである。
【図７】注文入力者の端末装置３０に表示される売買注文の注文入力画面の一例を示す説明図である。
【図８】注文記憶部１２４に記憶される注文情報等の記憶情報の第２の例を示す説明図である。
【図９】注文入力者の端末装置３０に表示される売買注文の注文状況画面の一例を示す説明図である。
【図１０】注文管理者の端末装置４０に表示される認可伝票一覧画面の一例を示す説明図である。
【図１１】注文管理者の端末装置４０に表示される認可伝票の個別の詳細表示画面の一例を示す説明図である。
【図１２】注文入力者の端末装置３０に表示される売買注文の発注指示入力画面の一例を示す説明図である。
【符号の説明】
【００５７】
１０…注文管理システム、２０…注文管理サーバ（売買注文管理装置）、３０…注文入力者の端末装置（注文入力者端末）、４０…注文管理者の端末装置（注文管理者端末）、５０，５１…発注サーバ、６０…ネットワーク、７０，７１…売買システム、８０，８１…通信回線、１００…条件格納部、１１０…制限時間格納部、１２２…注文受付部、１２４…注文記憶部、１３０…判断部、１４０…認可情報受信部（発注指示受信部）、１５０…発注部。
【図１】
2008033552.tif 000003
【図２】
2008033552.tif 000004
【図３】
2008033552.tif 000005
【図４】
2008033552.tif 000006
【図５】
2008033552.tif 000007
【図６】
2008033552.tif 000008
【図７】
2008033552.tif 000009
【図８】
2008033552.tif 000010
【図９】
2008033552.tif 000011
【図１０】
2008033552.tif 000012
【図１１】
2008033552.tif 000013
【図１２】
2008033552.tif 000014